(57)【要約】【課題】部品点数が少なく、簡単に設置することのできる安価な可動間仕切を提供する。【解決手段】部屋を仕切るために、天井Ｒに設置されるガイドレール２と、このガイドレール２に吊車３を介して可動に吊り下げられた開閉操作可能な複数の引戸４とを有している可動間仕切１であって、ガイドレール２は、吊車３が移動可能な移動路１１ａ、１２ａを具備する複数のレール体１１、１２を備え、これらは、天井Ｒに設置された状態でＬ字形連結部２ａおよびＴ字形連結部を単独あるいは組み合わせて配置され、かつＬ字形連結部２ａでは移動路１１ａ、１２ａが直角に接続され、Ｔ字形連結部１０２ｂでは移動路がＴ字状に接続されて全体として一体レールとされ、部屋を仕切った間仕切状態で複数のレール体１１、１２のうちの少なくとも１本には、複数の引戸４を直列に配置する。【選択図】図１
2012067581.tif 000002
【特許請求の範囲】
【請求項１】
部屋を仕切るために、天井に設置されるガイドレールと、このガイドレールに吊車を介して可動に吊り下げられた開閉操作可能な複数の引戸とを有している可動間仕切であって、
前記ガイドレールは、吊車が移動可能な移動路を具備する複数の直線状のレール体を有し、かつ、前記複数のレール体は、天井に設置された状態で、Ｌ字形連結部およびＴ字形連結部の一方または両方を有するとともに、前記Ｌ字形連結部では前記移動路が直角に接続され、前記Ｔ字形連結部では前記移動路がＴ字状に接続されて、全体として一体レールとされており、
部屋を仕切った間仕切状態で前記複数のレール体のうちの少なくとも１本には、複数の引戸が直列に配置されていることを特徴とする可動間仕切。
【請求項２】
前記一体レールの形状は、平面Ｌ字形部分、平面Ｆ字形部分、平面Ｔ字形部分および平面Ｅ字形部分から選ばれる１つ以上を含むことを特徴とする請求項１に記載の可動間仕切。
【請求項３】
１つの引戸に対して２つの吊車が取り付けられており、これら２つの吊車は、引戸の上面の引戸の移動方向に沿った長手方向の両側に寄せて配置されていることを特徴とする請求項１または２に記載の可動間仕切。
【請求項４】
前記引戸の移動方向に沿った幅寸法をＷｍｍとし、
前記２つの吊車の中心間距離をＸｍｍとし、
前記引戸の幅方向の端面とこの端面に隣位する吊車の中心までの距離をａｍｍとしたときに、
前記幅寸法は、６００≦Ｗ≦１０００を満足するように形成され、
前記中心間距離は、４９０≦Ｘ≦６５０を満足するように形成され、
前記距離は、ａ≦１０５を満足するように形成されていることを特徴とする請求項３に記載の可動間仕切。
【請求項５】
前記吊車は、引戸の上端部に取り付けられる取付部と、この取付部の上面にその軸方向を上下方向に向けて立設された支持軸と、この支持軸の先端部に回転自在に取り付けられた第１戸車と、この第１戸車から基端側に所定の間隔をおいて回転自在に取り付けられた第２戸車と有しており、
前記ガイドレールは、厚さ方向を上下方向に向けて天井側に配置される平板状の天板部と、この天板部の長手方向に対して直交する幅方向の両端縁のそれぞれから下方に向かって直角に延出された相互に平行な平板状の１対の側板部と、これら１対の側板部の下端縁のそれぞれから内側に向かって直角に延出されるとともに前記支持軸が挿通される間隔をおいて先端が対峙する平板状の１対のリブ部と、前記１対の側板部の内面のそれぞれから内側に向かって直角に延出されるとともに前記支持軸が挿通される間隔をおいて先端が対峙する前記１対のリブ部と平行に延在する平板状の１対のガイド板部とを有しており、
前記吊車は、前記第１戸車と前記第２戸車との相互間に前記１対のガイド板部を挟み込むように形成されていることを特徴とする請求項１ないし４のいずれか１項に記載の可動間仕切。
【請求項６】
前記引戸は、縦長平板状のパネル本体と、このパネル本体の四辺を囲うように取り付けられるパネルフレームとを有しており、
前記パネルフレームは、前記パネル本体の上面に取り付けられる上フレームと、前記パネル本体の下面に取り付けられる下フレームと、前記パネル本体の左右の側面に取り付けられる横断面形状が左右対称に形成された左右１対の縦フレームとを有しており、
前記縦フレームは、前記パネル本体に取り付けられる取付部、およびこの取付部の前記パネル本体への取り付け側と反対の外側面の中央部に設けられた長手方向に沿って延在する凹溝を有しており、
前記凹溝には、凸状先端部を具備する雄部材の基端部、前記凸状先端部があるいは前記凸状先端部に嵌合可能な凹状先端部を具備する雌部材の基端部、前記凹溝の開口を閉塞する栓部材の基端部のいずれかが取り付け可能とされていることを特徴とする請求項１ないし５のいずれか１項に記載の可動間仕切。
【請求項７】
部屋を仕切った間仕切状態で直列に配置された複数の引戸のうち隣接する２枚の引戸の隣接する一方の縦フレームの凹溝には前記雄部材の基端部が取り付けられ、他方の縦フレームの凹溝には前記雌部材の基端部が取り付けられており、前記雄部材の凸状先端部と前記雌部材の凹状先端部とを嵌合させることにより隣接する２枚の引戸が連接されており、最端に位置する縦フレームの凹溝には前記栓部材の基端部が取り付けられていることを特徴とする請求項６に記載の可動間仕切。
【請求項８】
前記ガイドレールは、天井に設置された状態で少なくとも一端部が個別に着脱可能に分割されており、この分割部を天井から取り外すことにより、前記ガイドレールから吊車とともに引戸を取り外し可能に形成されていることを特徴とする請求項１ないし７のいずれか１項に記載の可動間仕切。
【発明の詳細な説明】
【技術分野】
【０００１】
本発明は、部屋を仕切るのに好適な可動間仕切に関する。
【背景技術】
【０００２】
従来から、可動間仕切は、建物の中の大きな空間の部屋に設けておき、その部屋を会議や催し事の出席人数に合わせた大きさの空間に仕切ったり、住宅では、来客時に合わせて部屋を仕切ったり、部屋の一部を子供用や納戸などの他の目的のものに仕切ったりする場合に使用されている。
【０００３】
このような可動間仕切は、予め仕切るべき位置を想定して、その想定位置で天井にガイドレールを設置し、このガイドレールから吊下げられる複数の引戸を部屋の一箇所に集合あるいは収納させておき、必要に応じてガイドレールに沿って引き出して部屋を仕切る構成とされている（例えば、特許文献１参照）。
【０００４】
図２７は従来の可動間仕切の一例の要部を示す模式的平面図であり、（ａ）は開放状態、（ｂ）は間仕切状態を示している。
【０００５】
図２７に示すように、従来の可動間仕切２００は、部屋の天井に設置されるガイドレール２０１と、このガイドレール２０１に吊車２０２を介して可動に吊り下げられた開閉操作可能な引戸２０３とを有している。
【０００６】
ガイドレール２０１は、図２７の左右方向に隣接して並設された相互に平行な３本の縦レール２０１ａと、図２７の上下方向に隣接して並設された相互に平行な３本の横レール２０１ｂとを有しており、縦レール２０１ａと横レール２０１ｂとが直角に配置されている。また、３本の縦レール２０１ａは、図２７の上方に左右方向に沿って延在する壁面Ｐａに対して直角に配置されており、３本の横レール２０１ｂは、図２７の左方に上下方向に沿って延在する壁面Ｐｂに対して直角に配置されている。そして、各縦レール２０１ａおよび各横レール２０１ｂのそれぞれに１枚の引戸２０３が吊車２０２を介して吊り下げられている。また、３本の縦レール２０１ａに取り下げられた３枚の引戸２０３は、１枚の引戸２０３を操作すると残りの２枚の引戸２０３が連動するように形成されており、３本の横レール２０１ｂに取り下げられた３枚の引戸２０３も同様に形成されている。
【０００７】
このような構成からなる従来の可動間仕切２００によれば、図２７（ａ）に示す部屋の仕切を行わない開放状態（フルオープン状態）においては、３本の縦レール２０１ａに吊り下げられた３枚の引戸２０３は、壁面Ｐａの一箇所に集合され、３本の横レール２０１ｂに取り下げられた３枚の引戸２０３は、壁面Ｐｂの一箇所に集合されるようになっている。すなわち、部屋の２箇所に引戸２０３の集合箇所２０４が設けられている。そして、３本の縦レール２０１ａに取り下げられた３枚の引戸２０３のうち図２７の左側に示す引戸２０３を図２７（ａ）の矢印ｙに示す方向に操作するとともに、３本の横レール２０１ｂに取り下げられた３枚の引戸２０３のうち図２７の上側に示す引戸２０３を図２７（ａ）の矢印ｘに示す方向に操作することにより、図２７（ｂ）に示す間仕切状態（フルクローズ状態）とすることができるように形成されている。なお、可動間仕切２００を図２７（ｂ）に示す仕切状態から図２７（ａ）に示す開放状態にするには、引戸２０３を逆方向に操作することになる。
【先行技術文献】
【特許文献】
【０００８】
【特許文献１】特開平１０−２３１６５４号公報
【発明の概要】
【発明が解決しようとする課題】
【０００９】
しかしながら、従来の可動間仕切２００においては、引戸２０３の数と同じ数のガイドレール２０１を必要とし、部品点数が多く、設置に手間がかかりコストが高いという問題点があった。
【００１０】
なお、従来の可動間仕切２００においては、引戸２０３の数と同じ数のガイドレール２０１を平行に配置する必要があるため、ガイドレール２０１を設置するための大きな設置スペースをガイドレール２０１の長さ方向に対して直交する方向にも必要とするという問題点もあった。
【００１１】
本発明はこのような点に鑑みてなされたものであり、部品点数が少なく、簡単に設置することのできる安価な可動間仕切を提供することを目的とする。
【課題を解決するための手段】
【００１２】
本発明は、前記目的を達成するため、
部屋を仕切るために、天井に設置されるガイドレールと、このガイドレールに吊車を介して可動に吊り下げられた開閉操作可能な複数の引戸とを有している可動間仕切であって、
前記ガイドレールは、吊車が移動可能な移動路を具備する複数の直線状のレール体を有し、かつ、前記複数のレール体は、天井に設置された状態で、Ｌ字形連結部およびＴ字形連結部の一方または両方を有するとともに、前記Ｌ字形連結部では前記移動路が直角に接続され、前記Ｔ字形連結部では前記移動路がＴ字状に接続されて、全体として一体レールとされており、
部屋を仕切った間仕切状態で前記複数のレール体のうちの少なくとも１本には、複数の引戸が直列に配置されていることを特徴とする可動間仕切を提供する。
【００１３】
本発明において、前記一体レールの形状は、前記一体レールの形状は、平面Ｌ字形部分、平面Ｆ字形部分、平面Ｔ字形部分および平面Ｅ字形部分から選ばれる１つ以上を含む形状とすることができる。これにより、天井に設置された状態で上記形状をなす全体として一体レールとされたガイドレールを容易に得ることができる。
【００１４】
本発明において、１つの引戸に対して２つの吊車が取り付けられており、これら２つの吊車は、引戸の上面の引戸の移動方向に沿った長手方向の両側に寄せて配置されている構成とすることができる。これにより、２つの吊車がガイドレールのＬ字形連結部およびＴ字形連結部を円滑に通過できるので、引戸の可動性および開閉操作性を向上できる。
【００１５】
本発明において、前記引戸の移動方向に沿った幅寸法をＷｍｍとし、前記２つの吊車の中心間距離をＸｍｍとし、前記引戸の移動方向に沿った端面とこの端面に隣位する吊車の中心までの距離をａｍｍとしたときに、前記幅寸法は、６００≦Ｗ≦１０００を満足するように形成され、前記中心間距離は、４９０≦Ｘ≦６５０を満足するように形成され、前記距離は、ａ≦１０５を満足するように形成されている構成とすることができる。これにより、２つの吊車がガイドレールのＬ字形連結部をより円滑に通過できるので、引戸の可動性および開閉操作性をより向上できる。
【００１６】
本発明において、前記吊車は、引戸の上端部に取り付けられる取付部と、この取付部の上面にその軸方向を上下方向に向けて立設された支持軸と、この支持軸の先端部に回転自在に取り付けられた第１戸車と、この第１戸車から基端側に所定の間隔をおいて回転自在に取り付けられた第２戸車と有しており、前記ガイドレールは、厚さ方向を上下方向に向けて天井側に配置される平板状の天板部と、この天板部の長手方向に対して直交する幅方向の両端縁のそれぞれから下方に向かって直角に延出された相互に平行な平板状の１対の側板部と、これら１対の側板部の下端縁のそれぞれから内側に向かって直角に延出されるとともに前記支持軸が挿通される間隔をおいて先端が対峙する平板状の１対のリブ部と、前記１対の側板部の内面のそれぞれから内側に向かって直角に延出されるとともに前記支持軸が挿通される間隔をおいて先端が対峙する前記１対のリブ部と平行に延在する平板状の１対のガイド板部とを有しており、前記吊車は、前記第１戸車と前記第２戸車との相互間に前記１対のガイド板部を挟み込むように形成されている構成とすることができる。これにより、吊車は、第１戸車および第２戸車が１対のガイド板部を挟むように嵌合された状態で支持軸を中心として回転しながら１対のガイド板部に沿って移動するので、引戸はガイドレールに沿って円滑に移動できるとともに、吊車、ひいては引戸が走行方向に対して直交する方向に傾くのを防止できる。
【００１７】
本発明において、前記引戸は、縦長平板状のパネル本体と、このパネル本体の四辺を囲うように取り付けられるパネルフレームとを有しており、前記パネルフレームは、前記パネル本体の上面に取り付けられる上フレームと、前記パネル本体の下面に取り付けられる下フレームと、前記パネル本体の左右の側面に取り付けられる横断面形状が左右対称に形成された左右１対の縦フレームとを有しており、前記縦フレームは、前記パネル本体に取り付けられる取付部、およびこの取付部の前記パネル本体への取り付け側と反対の外側面の中央部に設けられた長手方向に沿って延在する凹溝を有しており、前記凹溝には、凸状先端部を具備する雄部材の基端部、前記凸状先端部があるいは前記凸状先端部に嵌合可能な凹状先端部を具備する雌部材の基端部、前記凹溝の開口を閉塞する栓部材の基端部のいずれかが取り付け可能とされている構成とすることができる。これにより、凹溝に、雄部材、雌部材および栓部材のいずれかを取り付けるという簡便な方法で、雄部材、雌部材および栓部材のいずれかを取り付けた３パターンの縦フレームを容易に得ることができる。また、雄部材の凸状先端部と雌部材の凹状先端部とを嵌合させることにより、嵌合に保持力を持たせることができる。その結果、引戸同士の一体感が向上し、引戸の揺れなどを軽減することができる。
【００１８】
本発明において、部屋を仕切った間仕切状態で直列に配置された複数の引戸のうち隣接する２枚の引戸の隣接する一方の縦フレームの凹溝には前記雄部材の基端部が取り付けられ、他方の縦フレームの凹溝には前記雌部材の基端部が取り付けられており、前記雄部材の凸状先端部と前記雌部材の凹状先端部とを嵌合させることにより隣接する２枚の引戸が連接されており、最端に位置する縦フレームの凹溝には前記栓部材の基端部が取り付けられている構成とすることができる。これにより、雄部材の凸状先端部と前記雌部材の凹状先端部とを嵌合させることで隣接する２枚の引戸の間から光が漏れるのを軽減できるし、間仕切状態での外観品質を向上できるし、デザイン性の向上を図ることができる。
【００１９】
本発明において、前記ガイドレールは、天井に設置された状態で少なくとも一端部が個別に着脱可能に分割されており、この分割部を天井から取り外すことにより、前記ガイドレールから吊車とともに引戸を取り外し可能に形成されている構成とすることができる。これにより、分割部のみを天井から取り外すという簡単な作業により、引戸をガイドレールから取り外すことができる。その結果、引戸あるいは吊車の交換などのメンテナンスを容易にできる。
【発明の効果】
【００２０】
本発明の可動間仕切によれば、天井に複数の直線状のレール体をＬ字形配置、Ｔ字形配置を単独であるいは組み合わせて配置することにより、全体として一体レールとされたガイドレールを設置する構成とされているので、従来より部品点数が少なく、簡単に設置することのできる安価なものを得ることができるし、ガイドレールが全体として一体レールとされているので、ガイドレールを設置するための設置スペースが従来より少なくてすむし、部屋の仕切を行わない開放状態で複数の引戸の集合箇所を部屋の１箇所にすることができるなどの優れた効果を奏する。
【図面の簡単な説明】
【００２１】
【図１】本発明に係る可動間仕切の第１実施形態の間仕切状態における全体構成の要部を示す模式的平面図
【図２】図１の太矢印Ａ方向から見て示す模式的側面図
【図３】図３は図１の太矢印Ｂ方向から見て示す模式的側面図
【図４】図１のガイドレールに対する引戸の吊り下げ状態を示す拡大断面図
【図５】図２の縦フレームの拡大平面図
【図６】図５の縦フレームに雄部材を取り付けた状態を示す拡大平面図
【図７】図５の縦フレームに雌部材を取り付けた状態を示す拡大平面図
【図８】図５の縦フレームに栓部材を取り付けた状態を示す拡大平面図
【図９】図５の縦フレームに取り付ける雄部材および雌部材ならびに栓部材の配置を説明する説明図
【図１０】図１の隣接する２枚の引戸を連接した際における隣接部の縦フレームの雄部材の凸状先端部と雌部材の凹状先端部とを嵌合させた状態を示す拡大平面図
【図１１】図５の縦フレームにフランス落としを取り付けた一例を示す拡大平面図
【図１２】図１のガイドレールのＬ字形連結部を引戸が移動する際の引戸の移動軌跡を説明する説明図
【図１３】本発明に係る可動間仕切の第２実施形態の間仕切状態における全体構成の要部を示す模式的平面図
【図１４】図１３の可動間仕切の開放状態を示す模式的平面図
【図１５】図１３の第１引戸の移動軌跡を説明する説明図
【図１６】図１３の第２引戸の移動軌跡を説明する説明図
【図１７】本発明に係る可動間仕切の第３実施形態の開放状態における全体構成の要部を示す模式的平面図
【図１８】図１７の可動間仕切の間仕切状態の一例を示す図１７と同様の図
【図１９】図１７の可動間仕切の間仕切状態の他例を示す図１７と同様の図
【図２０】本発明に係る可動間仕切の第４実施形態の開放状態における全体構成の要部を示す模式的平面図
【図２１】図２０の可動間仕切の間仕切状態の一例を示す図２０と同様の図
【図２２】図２０の可動間仕切の部分的間仕切状態の一例を示す図２０と同様の図
【図２３】本発明に係る可動間仕切の第５実施形態の開放状態における全体構成の要部を示す模式的平面図
【図２４】図２３の可動間仕切の間仕切状態の一例を示す図２３と同様の図
【図２５】図２３の可動間仕切の間仕切状態の他例を示す図２３と同様の図
【図２６】図２３の可動間仕切の間仕切状態のさらに他例を示す図２３と同様の図
【図２７】従来の可動間仕切の一例を示すものであり、（ａ）は開放状態、（ｂ）は間仕切状態
【発明を実施するための形態】
【００２２】
以下、本発明を図面に示す実施形態により説明する。
【００２３】
（第１実施形態）
図１から図１１は本発明に係る可動間仕切の第１実施形態を示すものであり、図１は間仕切状態における全体構成の要部を示す模式的平面図、図２は図１の太矢印Ａ方向から見て示す模式的側面図、図３は図１の太矢印Ｂ方向から見て示す模式的側面図、図４はガイドレールに対する引戸の吊り下げ状態を示す一部切断拡大側面図、図５は縦フレームの拡大平面図、図６は縦フレームに雄部材を取り付けた状態を示す拡大平面図、図７は縦フレームに雌部材を取り付けた状態を示す拡大平面図、図８は縦フレームに栓部材を取り付けた状態を示す拡大平面図、図９は縦フレームに取り付ける雄部材および雌部材ならびに栓部材の配置を説明する説明図、図１０は隣接する２枚の引戸を連接した際における隣接部の縦フレームの雄部材の凸状先端部と雌部材の凹状先端部とを嵌合させた状態を示す拡大平面図、図１１は縦フレームにフランス落としを取り付けた一例を示す拡大平面図である。
【００２４】
本実施形態の可動間仕切１は、部屋の仕切を行わない開放状態（フルオープン状態）において複数の引戸４を戸袋５に収納するものを例示している。また、本実施形態の可動間仕切１は、ガイドレール２の形状を全体として平面Ｌ字形の一体レールとしたものである。
【００２５】
すなわち、図１から図３に示すように、本実施形態の可動間仕切１は、部屋を仕切るために、天井Ｒに設置されるガイドレール２と、このガイドレール２に吊車３を介して可動に吊り下げられた開閉操作可能な複数、本実施形態においては５枚の引戸４と、部屋の仕切を行わない開放状態において５枚の引戸４を収納する戸袋５と有している。
【００２６】
本実施形態のガイドレール２は、ステンレスやアルミニウム合金などの金属により形成されており、間仕切りに用いる複数のレール体としての２本のレール体である第１レール１１および第２レール１２と、引戸４を戸袋５に収納するために用いられる支線レール１３とを有している。
【００２７】
前記第１レール１１は直線状に形成されており、図１の左右方向に配置されている。この第１レール１１には、吊車３が移動可能な移動路としての第１移動路１１ａが設けられている。また、第２レール１２は、直線状に形成されており、図１の上下方向に配置されている。この第２レール１２には、第１レール１１と同様に、吊車３が移動可能な移動路としての第２移動路１２ａが設けられている。そして、第１レール１１と第２レール１２とは、天井Ｒに設置された状態で直角に配置されている。そして、第１レール１１と第２レール１２との屈曲部であるＬ字形連結部２ａでは、第１レール１１の第１移動路１１ａと第２レール１２の第２移動路１２ａとが直角に接続されており、全体として平面Ｌ字形の一体レールとされている。
【００２８】
前記Ｌ字形連結部２ａとしては、第１レール１１と第２レール１２とを直角に直接接続したり、個別に一体形成した直角レール（Ｌ型継）を間において間接接続したりすることができる。
【００２９】
図２に示すように、前記ガイドレール２のうちの戸袋５からもっとも離れた端部、本実施形態における第２レール１２の自由端部分は、天井Ｒに設置された状態で個別に着脱可能に分割（直線継）されており、この分割部１２ｂを天井Ｒから取り外すことにより、ガイドレール２から吊車３とともにすべての引戸４を順に取り外すことができるように形成されている。
【００３０】
前記支線レール１３は、引戸４を戸袋５に収納するためのものであり、第１レール１１の図１の左方に示す他端から直線状に延出するように、戸袋５の開口に沿って配置された直線状の引込レール１３Ａと、この引込レール１３Ａから戸袋５の内部に向かって直角に分岐された直線状の１対の分岐レール１３Ｂとを有している。そして、支線レール１３には、引戸４を戸袋５に収納するための吊車３が移動可能な移動路としての支線移動路１３ａが設けられている。この支線移動路１３ａは、引込レール１３Ａに設けられた引込移動路１３Ａａおよび１対の分岐レール１３Ｂのそれぞれに設けられた分岐移動路１３Ｂａを備えている。そして、図１の右側に示すガイドレール２に近い分岐移動路１３Ｂａは、引込移動路１３ＡａとＴ字状に接続されており、図１の左側に示すガイドレール２から離れた分岐移動路１３Ｂａは、引込移動路１３Ａａと直角に接続されている。また、支線移動路１３ａ、詳しくは引込移動路１３Ａａは第１移動路１１ａと直線状に接続されている。また、支線移動路１３ａ、詳しくは引込移動路１３Ａａは第１移動路１１ａと接続されている。
【００３１】
前記、引込レール１３Ａおよび１対の分岐レール１３Ｂの断面形状は、すべて同一に形成されている。
【００３２】
本実施形態の引戸４は、部屋を仕切った間仕切状態（フルクローズ状態）において戸袋５側から順に配置されている第１引戸２１、第２引戸２２、第３引戸２３、第４引戸２４および第５引戸２５の総計５枚の引戸４（符号４は、第１引戸２１、第２引戸２２、第３引戸２３、第４引戸２４および第５引戸２５を総称する。）を有している。そして、引戸４は、部屋を仕切った間仕切状態において、第１レール１１には第１引戸２１、第２引戸２２および第３引戸２３の総計３枚の引戸４が配置されており、第２レール１２には第４引戸２４および第５引戸２５の総計２枚の引戸４が配列されている。また、これら総計５枚の引戸４は、ガイドレール２に沿って直列に配置されている。すなわち、間仕切状態において２本のレール体である第１レール１１および第２レール１２のそれぞれに複数の引戸４が直列に配置されている。よって、間仕切り状態で複数のレール体のうちの少なくとも１本には、複数の引戸４が直列に配置されていることになる。なお、図１における符号ＰＡは壁面である。
【００３３】
図４に示すように、本実施形態のガイドレール２は、ガイドレール２の下端面が天井Ｒ面からごく僅か突出するように、天井Ｒに凹設されたレール溝ＲＡに取り付けられて設置されており、部屋の仕切を行わない開放状態における外観上の違和感を少なくできるようになっている。なお、レール溝ＲＡは、建物の仕様や設計コンセプトなどの必要に応じて設ければよく、天井Ｒにガイドレール２を直接設置する場合もある。
【００３４】
前記ガイドレール２は、厚さ方向を上下方向に向けて天井Ｒ側に配置される平板状の天板部３１と、この天板部３１の長手方向に対して直交する幅方向の両端縁のそれぞれから下方に向かって直角に延出された相互に平行な平板状の１対の側板部３２と、これら１対の側板部３２の下端縁のそれぞれから内側に向かって直角に延出されるとともに後述する吊車３の一部を構成する支持軸４２が挿通される間隔をおいて先端が対峙する平板状の１対のリブ部３３と、１対の側板部３２の内面のそれぞれから内側に向かって直角に延出されるとともに支持軸４２が挿通される間隔をおいて先端が対峙する１対のリブ部３３と平行に延在する平板状の１対のガイド板部３４とを有している。なお、各部の厚さ寸法は、例えば、２．５ｍｍとされている。
【００３５】
図４に示すように、吊車３は、引戸４の上端部、詳しくは後述する上フレーム５３に取り付けられる取付部４１と、この取付部４１の上面にその軸方向を上下方向に向けて立設された支持軸４２と、この支持軸４２の先端部に回転自在に取り付けられた第１戸車４３と、この第１戸車４３から取付部４１側に所定の間隔をおいて回転自在に取り付けられた第２戸車４４と有している。なお、第１戸車４３と第２戸車４４の相互間の間隔は、１対のガイド板部３４を挟むように嵌合できる大きさ、例えば２．５ｍｍより若干大きく形成されている。これにより、第１戸車４３と第２戸車４４との相互間に１対のガイド板部３４を挟み込むことができるようになっており、吊車３が移動する際には、第１戸車４３と第２戸車４４との相互間に１対のガイド板部３４を挟み込んだ状態で、第１戸車４３および第２戸車４４の両者が回転するようになっている。
【００３６】
図２および図３に示すように、本実施形態の可動間仕切１は、１つの引戸４に対して２つの吊車３が取り付けられており、これら２つの吊車３は、引戸４の上面の引戸４の移動方向に沿った長手方向の両側に寄せて配置されている。そして、引戸４の移動方向に沿った幅寸法をＷｍｍとし、２つの吊車３の中心間距離をＸｍｍとし、引戸４の幅方向の端面とこの端面に隣位する吊車３の中心までの距離をａｍｍとしたときに、幅寸法は、６００≦Ｗ≦１０００を満足するように形成され、中心間距離は、４９０≦Ｘ≦６５０を満足するように形成され、距離は、ａ≦１０５を満足するように形成されている。
【００３７】
本実施形態においては、間仕切状態において戸袋５から最も離れた位置に配置される第５引戸２５は、Ｗ＝８４７ｍｍ、Ｘ＝５１０ｍｍ、ａ＝１０５ｍｍ（両方とも同じ）に形成されており、残りの第１引戸２１、第２引戸２２、第３引戸２３および第４引戸２４は、ともに、Ｗ＝６６５ｍｍ、Ｘ＝３９１ｍｍ、ａ＝１３７ｍｍ（両方とも同じ）に形成されているしたがって、本実施形態のガイドレール２の分割部１２ｂの長さ寸法は、第５引戸２５のａ寸法より大きく形成されている。なお、すべての引戸４（第１引戸２１、第２引戸２２、第３引戸２３、第４引戸２４および第５引戸２５）の幅寸法を同じとしてもよい。この場合、分割部１２ｂの長さ寸法を引戸４のａ寸法より大きく形成することが肝要である。
【００３８】
図２および図３に示すように、本実施形態の引戸４は、縦長平板状のパネル本体５１と、このパネル本体５１の四辺を囲うように取り付けられるアルミニウム合金の成型材により形成されたパネルフレーム５２とを有している。また、パネルフレーム５２は、パネル本体５１の上面に取り付けられる上フレーム５３と、パネル本体５１の下面に取り付けられる下フレーム５４と、パネル本体５１の左右の側面に取り付けられる横断面形状が左右対称に形成された左右１対の縦フレーム５５とを有している。なお、本実施形態の縦フレーム５５は、上フレーム５３および下フレーム５４のそれぞれの右端を接続するように、パネル本体５１の側面に取り付けられている。なお、パネルフレーム５２としては、アルミニウム合金の成型品に限定されるものでなく、ステンレスなどの鉄系材の成型品、木材を加工したもの、ＦＲＰなどのプラスチックの成型品などを用いてもよい。また、各種成型品の表面の必要部分に木材の薄膜を接合させるなどのハイブリッド構成としてもよい。
【００３９】
図５に示すように、縦フレーム５５は、パネル本体５１に取り付けられる取付部６１、およびこの取付部６１のパネル本体５１への取り付け側と反対の外側面の中央部に設けられた長手方向に沿って延在する凹溝６２を有している。
【００４０】
前記凹溝６２には、図６に示す外部に露出する凸状先端部６５ａを具備する雄部材６５の基端部６５ｂ、図７に示す凸状先端部６５ａがあるいは凸状先端部６５ａに嵌合可能な凹溝６２の内部に配置される凹状先端部６６ａを具備する雌部材６６の基端部６６ｂ、図８に示す凹溝６２の開口を閉塞する凹溝６２の内部に配置される栓部材６７の基端部６７ｂのいずれかが取り付け可能とされている。なお、雄部材６５は、例えばアルミニウム合金により形成されており、雌部材６６は、例えばウレタン樹脂などの樹脂（プラスチック）により形成されており、栓部材６７は、シリコーンゴム、シリコーンスポンジゴム、ウレタンゴム、フェルトなどの緩衝材により形成されている。また、本実施形態における凹溝６２に対する各基端部６５ｂ、６６ｂ、６７ｂの取り付けは、凹溝６２の側壁に形成された１対の嵌合凹部６３に対して、各基端部６５ａ、６６ａ、６７ａに設けられた１対の嵌合凸部６４を嵌め込むことにより行われるようになっている。さらに、凹溝６２に対する雄部材６５、雌部材６６および栓部材６７の取り付けは、縦フレーム５５の長手走行の一端側から行われることになる。ここで、本実施形態における雄部材６５、雌部材６６および栓部材６７の配置例を図９に示す。なお図９において、符号Ｍは雄部材６５、符号Ｆは雌部材６６、符号Ｓは栓部材６７を示している。
【００４１】
このように、本実施形態の引戸４は、縦フレーム５５の凹溝６２に、雄部材６５、雌部材６６および栓部材６７のいずれかを取り付けるという簡便な方法で、雄部材６５、雌部材６６および栓部材６７のいずれかを取り付けた縦フレーム５５を容易に得ることができる。その結果、一側面に雄部材６５および他側面に雌部材６６を具備する引戸４、一側面に雌部材６６および他側面に栓部材６７を具備する引戸４、一側面に雄部材６５および他側面に栓部材６７を具備する引戸４との少なくとも３パターンの引戸４を容易に得ることができる。そして、隣接する２枚の引戸４の相互間が対向するように配置された雄部材６５の凸状先端部６５ａと雌部材６６の凹状先端部６６ａとを嵌合させることにより連接されている。この雄部材６５の凸状先端部６５ａと雌部材６６の凹状先端部６６ａとを嵌合させることにより、嵌合に保持力を持たせることができる。その結果、引戸４同士の一体感が向上し、引戸の揺れなどを軽減することができる。この雄部材６５の凸状先端部６５ａと雌部材６６の凹状先端部６６ａとを嵌合させた状態を図１０に示す。なお、凸状先端部６５ａを凹状先端部６６ａに、あるいは凸状先端部６５ａに凹状先端部６６ａを嵌合させるには、一方の引戸４を他方に、あるいは一方の引戸４に他方の引戸４押し付ける操作を行うことにより容易にできるように形成されている。
【００４２】
なお、縦フレーム５５の下端部には、必要に応じて従来公知のフランス落とし６８を設けることができる。このフランス落とし６８を設けた縦フレーム５５の一例を図１１に示す。
【００４３】
つぎに、前述した構成からなる本実施形態の作用について説明する。
【００４４】
図１２は、ガイドレールのＬ字形連結部を引戸が移動する際の引戸の移動軌跡を説明する説明図である。
【００４５】
本実施形態の可動間仕切１を、図１の実線にて示す部屋を仕切った間仕切状態から図１の２点鎖線にて示す部屋の仕切を行わない開放状態、すなわち、すべての引戸４を戸袋５に収納するには、戸袋５に隣位する第１引戸２１を第１レール１１および支線レール１３に沿って戸袋５に突き当たるまで移動操作する。このとき、第１引戸２１と第２引戸２２を連接している凸状先端部６５ａと凹状先端部６６ａとは分離する。そして、第１引戸２１が戸袋５に突き当たった時点で、第１引戸２１を分岐レール１３Ｂに沿って戸袋５の奥に突き当たるまで押す操作をする。これにより、第１引戸２１を戸袋５に収納する。
【００４６】
ついで、第２引戸２２および第３引戸２３をこの順に第１引戸２１と同様に操作することで第２引戸２２および第３引戸２３を戸袋５に収納する。
【００４７】
ついで、第４引戸２４を、第２レール１２、第１レール１１および支線レール１３に沿って戸袋５に突き当たるまで移動操作する。このとき、第４引戸２４が第１レール１１と第２レール１２とのＬ字形連結部２ａを通過する際には、第１レール１１と第２レール１２とにまたがった状態で移動する。このガイドレール２のＬ字形連結部２ａを引戸４が移動する際の引戸４の移動軌跡を図１２に示す。そして、第４引戸２４が戸袋５に突き当たった時点で、第４引戸２４を分岐レール１３Ｂに沿って戸袋５の奥に突き当たるまで押す操作をする。これにより、第４引戸２４を戸袋５に収納する。
【００４８】
ついで、第５引戸２５を第４引戸２４と同様に操作する。但し、第５引戸２５は戸袋５に突き当たった時点で操作を終了する。これにより、第５引戸２５を支線レール１３に吊り下げた状態で戸袋５の開口を塞ぐように収納することにより、可動間仕切１を間仕切状態から開放状態にすることができる。なお、可動間仕切１を開放状態から間仕切状態にするには逆操作をする。また、可動間仕切１の開閉操作、詳しくは、間仕切状態から開放状態への操作を行う場合、床に設けた挿入穴からフランス落とし６８を上方に離脱させた状態で行うことになる。
【００４９】
このように、本実施形態の可動間仕切１によれば、天井Ｒに第１レール１１と第２レール１２とを直角に配置することにより全体としてＬ字形の一体レールとされたガイドレール２を設置することにより、従来より部品点数が少なく、簡単に設置することのできる安価なものを得ることができるし、ガイドレール２が全体としてＬ字形の一体レールとされているので、ガイドレール２を設置するための設置スペースが従来の引戸１０３の数と同じ数のガイドレール１０１が隣接して並設された構成より少なくてすむし、部屋の仕切を行わない開放状態で５枚の引戸４を戸袋５に収納、すなわち、５枚の引戸４の集合箇所を部屋の１箇所にすることができる。また、ガイドレール２が全体として平面Ｌ字形の一体レールとされているので、すべての引戸４をガイドレール２に配置することにより、間仕切状態を容易に得ることができるとともに、間仕切状態においては、部屋の隅を予め設定された全体として平面矩形状の１つの空間ＳＡに仕切ることができる。
【００５０】
なお、本実施形態の可動間仕切１によれば、部屋を仕切る場合、すべての引戸４をガイドレール２に配置せずに、ガイドレール２に引戸４を部分的に配置することにより、一部の引戸４を用いて部屋を部分的に仕切った部分的間仕切状態（セミクローズ状態）とすることもできる。
【００５１】
さらに、本実施形態の可動間仕切１によれば、１つの引戸４に対して２つの吊車３が取り付けられており、これら２つの吊車３は、引戸４の上面の引戸４の移動方向に沿った両側に寄せて配置されているから、２つの吊車３がガイドレール２のＬ字形連結部２ａを円滑に通過できるので、引戸４の可動性および開閉操作性を向上できる。
【００５２】
また、本実施形態の可動間仕切１によれば、引戸４の幅寸法が６００≦Ｗ≦１０００を満足するように形成され、２つの吊車３の中心間距離が４９０≦Ｘ≦６５０を満足するように形成され、引戸４の移動方向に沿った端面とこの端面に隣位する吊車３の中心までの距離がａ≦１０５を満足するように形成されているから、２つの吊車３がガイドレール２のＬ字形連結部２ａをより円滑に通過できるので、引戸４の可動性および開閉操作性をより向上できる。
【００５３】
また、本実施形態の可動間仕切１によれば、吊車３の第１戸車４３と第２戸車４４との相互間に１対のガイド板部３４を挟み込むように形成されているから、吊車３は、第１戸車４３および第２戸車４４が１対のガイド板部３４を挟むように嵌合された状態で支持軸４２を中心として回転しながら１対のガイド板部３４に沿って移動するので、引戸４はガイドレール２に沿って円滑に移動できるとともに、吊車３、ひいては引戸４が走行方向に対して直交する方向に傾くのを防止できる。
【００５４】
また、本実施形態の可動間仕切１によれば、アルミニウム合金の成型材により形成された１対の縦フレーム５５は、パネル本体５１の左右の側面に取り取り付けることができるから、１つの成型金型で形成することができるので、金型コストを低減できる。
【００５５】
また、本実施形態の可動間仕切１によれば、アルミニウム合金の成型材により形成された１対の縦フレーム５５の凹溝６２は、雄部材６５、雌部材６６および栓部材６７のいずれかを取り付けることができるので、凹溝６２に雄部材６５、雌部材６６および栓部材６７のいずれかを取り付けるという簡便な方法で、３パターンの縦フレーム５５を容易に得ることができる。その結果、一側面に雄部材６５および他側面に雌部材６６を具備する引戸４、一側面に雌部材６６および他側面に栓部材６７を具備する引戸４、一側面に雄部材６５および他側面に栓部材６７を具備する引戸４との少なくとも３パターンの引戸４を容易に得ることができる。
【００５６】
また、本実施形態の可動間仕切１によれば、間仕切状態で直列に配置された５枚の引戸４のうち隣接する２枚の引戸４の隣接する一方の縦フレーム５５の凹溝６２には雄部材６５の基端部が取り付けられ、他方の縦フレーム５５の凹溝６２には雌部材６６の基端部が取り付けられており、雄部材６５の凸状先端部６５ａと雌部材６６の凹状先端部６６ａとを嵌合させることにより隣接する２枚の引戸４が連接されており、最端に位置する縦フレーム５５の凹溝６２には前記栓部材６７の基端部が取り付けられているから、雄部材６５の凸状先端部６５ａと雌部材６６の凹状先端部６６ａとを嵌合させることで隣接する２枚の引戸４の間から光が漏れるのを軽減できるし、間仕切状態での外観品質を向上できるし、デザイン性の向上を図ることができる。
【００５７】
また、本実施形態の可動間仕切１によれば、ガイドレール２は、その分割部１２ｂのみを天井Ｒから取り外すという簡単な作業により、戸袋５に収納されている引戸４をガイドレール２から取り外すことができる。その結果、引戸４あるいは吊車３の交換などのメンテナンスを容易にできる。
【００５８】
（第２実施形態）
図１３および図１４は本発明に係る可動間仕切の第２実施形態を示すものであり、図１３は間仕切状態における全体構成の要部を示す模式的平面図、図１４は開放状態における全体構成の要部を示す模式的平面図である。
【００５９】
本実施形態の可動間仕切７１は、４枚の引戸４を戸袋５の代わりに部屋の２つの壁面ＫＡ、ＫＢのうちの１箇所である一方の壁面ＫＡ側に重なるように集積させる構成のものである。
【００６０】
すなわち、図１３および図１４に示すように、本実施形態の可動間仕切７１は、間仕切りに用いる複数のレール体としての２本のレール体である相互に直角に配置された第１レール７２および第２レール７３を具備するガイドレール７４と、ガイドレール７４に２つの吊車（図２−図４の符号３参照）を介して可動に吊り下げられた開閉操作可能な複数、本実施形態においては部屋を仕切った間仕切状態において集合箇所側から順に配置されている第１引戸８１、第２引戸８２、第３引戸８３および第４引戸８４の総計４枚の引戸８５（符号８５は、第１引戸８１、第２引戸８２、第３引戸８３および第４引戸８４を総称する。）を有している。そして、引戸８５は、部屋を仕切った間仕切状態において、第１レール７２には第１引戸８１、第２引戸８２の総計２枚の引戸８５が配置されており、第２レール８３には第３引戸８３および第４引戸８４の総計２枚の引戸８５が配列されている。また、これら総計４枚の引戸８５は、ガイドレール７４に沿って直列に配置されている。すなわち、間仕切状態において２本のレール体である第１レール７２および第２レール７３のそれぞれに複数の引戸８４が直列に配置されている。よって、複数のレール体のうちの少なくとも１本には、複数の引戸８４が直列に配置されていることになる。
【００６１】
本実施形態のガイドレール７４は、ステンレスやアルミニウム合金などの金属により形成されており、間仕切りに用いる複数のレール体としての２本のレール体である第１レール７２および第２レール７３と、引戸４を集合させるための平面ほぼコ字形に形成された支線レール９１とを有している。この支線レール９１は、第１レール７２の図１の左方に示す他端近傍から直角に分岐された直線状の引込レール９２と、この引込レール９２の両端から第１レール７２と平行に延在する直線状の１対の集合レール９３とを有している。そして、第１レール７２と第２レール７３との屈曲部であるＬ字形連結部７４ａでは、第１レール７２の吊車３が移動可能な移動路としての第１移動路７２ａと第２レール７３の吊車３が移動可能な移動路としての第２移動路７３ａとが直角に接続されており、全体として平面Ｌ字形の一体レールとされている。また、支線レール９１には、引戸４を壁面ＫＡに重なるように集合させるための吊車３が移動可能な支線移動路９１ａが設けられている。この支線移動路９１ａは、引込レール９２に設けられた引込移動路９２ａおよび集合レール９３のそれぞれに設けられた集合移動路９３ａを備えている。そして、図１３の上側に示すガイドレール７４に近い集合移動路９３ａは、引込移動路９２ａと直角に接続されているとともに、第１移動路７２ａと直線状に接続されている。すなわち、図１３の上側に示すガイドレール７４に近い集合移動路９３ａと引込移動路９２ａと第１移動路７２ａとは、Ｔ字状に接続されている。また、図１３の下側に示すガイドレール７４から離れた集合移動路９３ａは、引込移動路９２ａと直角に接続されている。さらに、支線移動路９１、詳しくは引込移動路９２ａは第１移動路７２ａと直角に接続されている。さらに、第２レール７３の自由端部分は、天井に設置された状態で個別に着脱可能に分割（直線継）されており、この分割部７３ｂを天井から取り外すことにより、ガイドレール７４から吊車３とともにすべての引戸８５を順に取り外すことができるように形成されている。
【００６２】
前記第１レール７２の中心と集合レール９３の中心とを結ぶ距離は、２つの吊車３の中心間距離Ｘと同じにされている。さらに、集合レール９３の長さ寸法は、４枚の引戸４を重ねたときの厚さ寸法より若干大きく形成されている。また、４枚の引戸４は、図１４に示すように、開放状態における壁面側の第１引戸８１の下方の距離ａｍｍが最も長く、第４引戸８４の距離ａが最も短くなるように、引戸４の厚さ分だけ段階的に短くされている。
【００６３】
その他の構成は、前述した第１実施形態の可動間仕切１と同様されているので、その詳しい説明については省略する。
【００６４】
このような構成からなる本実施形態の可動間仕切７１によれば、引戸８５を開閉操作することで、図１３に示す間仕切状態と、図１４に示す開放状態とを容易に得ることができる。
【００６５】
なお、ガイドレール７４と支線レール９１との間を第１引戸８１が移動する際の第１引戸８１の移動軌跡を図１５に示す。また、ガイドレール７４と支線レール９１との間を第２引戸８２が移動する際の第２引戸８２の移動軌跡を図１６に示す。
【００６６】
このように、本実施形態の可動間仕切７１によれば、前述した第１実施形態の可動間仕切１と同様の効果を奏するとともに、図１４に示すように、４枚の引戸８５を１箇所の壁面ＫＡに重ねるように集合させることができる。
【００６７】
また、本実施形態の可動間仕切７１によれば、すべての引戸８５をガイドレール７４に配置することにより、間仕切状態を容易に得ることができるとともに、間仕切状態においては、部屋の隅を予め設定された全体として平面矩形状の１つの空間ＳＢに仕切ることができる。
【００６８】
さらに、本実施形態の可動間仕切７１によれば、部屋を仕切る場合、すべての引戸８５をガイドレール７４に配置せずに、ガイドレール７４に引戸８５を部分的に配置することにより、一部の引戸８５を用いて部屋を部分的に仕切った部分的間仕切状態（セミクローズ状態）とすることもできる。
【００６９】
（第３実施形態）
図１７から図１９は本発明に係る可動間仕切の第３実施形態を示すものである。
【００７０】
本実施形態の可動間仕切１０１は、全体として平面Ｆ字形の一体レールとしたガイドレール１０２を用いたものである。また、本実施形態の可動間仕切１０１は、複数の引戸１０３を戸袋１０４に収納するようにしたものである。さらに、本実施形態の可動間仕切１０１は、間仕切状態において平面直角に配置された２つの壁面ＫＡ、ＫＢを有する部屋の隅を全体として平面矩形状に仕切るものである。
【００７１】
すなわち、図１７から図１９に示すように、本実施形態の可動間仕切１０１は、部屋を仕切るために、天井（図４の符号Ｒ参照）に設置されるガイドレール１０２と、このガイドレール１０２に２つの吊車（図２−図４の符号３参照）を介して可動に吊り下げられた開閉操作可能な６枚の引戸１０３と、部屋の仕切を行わない開放状態において６枚の引戸１０３を収納する戸袋１０４と有している。
【００７２】
なお、本実施形態における６枚の引戸１０３は、その幅寸法Ｗ（図１−図３の符号Ｗ参照）が同一に形成されており、後述する分割部１１２ｂ、１１３ｂの長さ寸法は、ガイドレール１０２の自由端側に位置する引戸１０３の幅方向の端面とこの端面に隣位する吊車の中心までの距離（図２の符号ａ参照）より大きく形成されている。
【００７３】
本実施形態のガイドレール１０２は、ステンレスやアルミニウム合金などの金属により形成されており、間仕切りに用いる複数のレール体としての３本のレール体である第１レール１１１、第２レール１１２および第３レール１１３と、６枚の引戸１０３を戸袋１０４に収納するために用いられる支線レール１１４とを有している。
【００７４】
前記第１レール１１１は直線状に形成されており、図１７の左右方向に配置されている。この第１レール１１１には、吊車が移動可能な移動路としての第１移動路１１１ａが設けられている。また、第２レール１１２は、直線状に形成されており、図１７の右側において上下方向に配置されている。この第２レール１１２には、第１レール１１１と同様に、吊車が移動可能な移動路としての第２移動路１１２ａが設けられている。さらに、第３レール１１３は、直線状に形成されており、図１７の左右方向のほぼ中央部において上下方向（第１レール１１１に対して平面直交する方向）に配置されているとともに、第２レール１１２と平行に配置されている。この第３レール１１３には、第１レール１１１および第２レール１１２と同様に、吊車が移動可能な移動路としての第３移動路１１３ａが設けられている。なお、第２レール１１２および第３レール１１３の長さは同一とされている。
【００７５】
前記第１レール１１１と第２レール１１２とは、天井に設置された状態で直角に配置されている。そして、第１レール１１１と第２レール１１２との屈曲部であるＬ字形連結部１０２ａでは、第１レール１１１の第１移動路１１１ａと第２レール１１２の第２移動路１１２ａとが直角に接続されている。なお、Ｌ字形連結部１０２ａとしては、第１レール１１１と第２レール１１２とを直角に直接接続したり、個別に一体形成した直角レール（Ｌ型継）を間において間接接続したりすることができる。
【００７６】
前記第１レール１１１と第３レール１１３とは、天井に設置された状態で第１レール１１１の戸袋１０４側からほぼ１枚の引戸１０３の幅寸法Ｗとほぼ同一長さ位置においてＴ字状に交差するように配置されている。そして、第１レール１１１と第３レール１１３とのＴ字形連結部１０２ｂでは、第１レール１１１の第１移動路１１１ａと、第３レール１１３の第３移動路１１３ａとがＴ字状に接続されている。なお、Ｔ字形連結部１０２ｂとしては、第１レール１１１と第２レール１１２とをＴ字状に直接接続したり、第１レール１１１をその長手方向に沿って２分割して、この分割部分の間に、個別に一体形成した平面Ｔ字状のＴ字状レール（Ｔ型継）を配置してＴ字状に間接接続したりすることができる。
【００７７】
前記ガイドレール１０２のうちの戸袋１０４から離れた端部、本実施形態における第２レール１１２および第３レール１１３のそれぞれの自由端部分は、天井に設置された状態で個別に着脱可能に分割（直線継）されており、これらの分割部１１２ｂ、１１３ｂの少なくとも一方（例えば戸袋１０４に近い分割部１１３ｂ）を天井から取り外すことにより、戸袋１０４に収納されている引戸１０３をガイドレール１０２から取り外すことができるように形成されている。
【００７８】
前記支線レール１１４は、引戸１０３を戸袋１０４に収納するためのものであり、第１レール１１１の図１７の左方に示す端部から直線状に延出するように、戸袋１０４の開口に沿って配置された直線状の引込レール１１４Ａと、この引込レール１１４Ａから戸袋１０４の内部に向かって直角に分岐された直線状の１対の分岐レール１１４Ｂとを有している。そして、支線レール１１４には、引戸１０３を戸袋１０４に収納するための吊車が移動可能な移動路としての支線移動路１１４ａが設けられている。この支線移動路１１４ａは、引込レール１１４Ａに設けられた引込移動路１１４Ａａおよび１対の分岐レール１１４Ｂのそれぞれに設けられた分岐移動路１１４Ｂａを備えている。そして、図１７の右側に示すガイドレール１０２に近い分岐移動路１１４Ｂａは、引込移動路１１４ＡａとＴ字状に接続されており、図１７の左側に示すガイドレール１０２から離れた分岐移動路１１４Ｂａは、引込移動路１１４Ａａと直角に接続されている。また、支線移動路１１４ａ、詳しくは引込移動路１１４Ａａは第１移動路１１１ａと直線状に接続されている。
【００７９】
前記第１レール１１１、第２レール１１２、第３レール１１３、支線レール１１４（引込レール１１４Ａおよび１対の分岐レール１１４Ｂ）の断面形状は、すべて同一に形成されている。
【００８０】
なお、本実施形態の可動間仕切１０１においては、開放状態においてすべての引戸１０３を戸袋１０４に収納する構成としたが、前述した第２実施形態の可動間仕切７１と同様に、すべての引戸１０３を戸袋１０４の代わりに部屋の１箇所の壁面ＫＡに重ねるように集合、すなわち集積させる構成としてもよい。
【００８１】
その他の構成は、前述した第１実施形態の可動間仕切１と同様されているので、その詳しい説明については省略する。
【００８２】
このような構成からなる本実施形態の可動間仕切１０１によれば、前述した第１実施形態の可動間仕切１における天井に設置された状態で平面Ｌ字形の一体レールとされたガイドレール２を容易に得ることができるという効果を除いて、同様の効果を奏することができる。
【００８３】
また、本実施形態の可動間仕切１０１によれば、天井に設置された状態で平面Ｆ字形のガイドレール１０２を容易に得ることができる。
【００８４】
さらに、本実施形態の可動間仕切１０１によれば、ガイドレール１０２が平面Ｆ字形の一体レールとされているので、６枚の引戸１０３のすべてを戸袋１０４から引き出して、第１レール１１１および第２レール１１２のそれぞれに３枚の引戸１０３を直列に配置する操作を行うことにより、平面直角に配置された２つの壁面ＫＡ、ＫＢを有する部屋の隅を、図１８において斜線領域にて示すように、第１レール１１１および第２レール１１２に配置された総計６枚の引戸１０３で全体として平面矩形状の１つの空間ＳＣに仕切ることができる。
【００８５】
すなわち、本実施形態の可動間仕切１０１の間仕切状態においては、複数のレール体としての３本のレール体である第１レール１１１、第２レール１１２および第３レール１１３のうちの第１レール１１１および第２レール１１２のそれぞれに３枚の引戸１０３を直列配置することにより、空間ＳＣの間仕切りを行うことができる。よって、間仕切状態で複数のレール体のうちの少なくとも１本（第１レール１１１および第２レール１１２）には、複数の引戸１０３が直列に配置されている構成となる。
【００８６】
また、本実施形態の可動間仕切１０１によれば、ガイドレール１０２が平面Ｆ字形の一体レールとされているので、引戸１０３の配置により、間仕切りに供する部屋の隅を種々に仕切ることができる。
【００８７】
例えば、図１９に示すように、４枚の引戸１０３を戸袋１０４から引き出して、第３レール１１３に３枚の引戸１０３を直列に配置するとともに、第１レール１１１の戸袋１０４と第３レール１１３との間に位置する部分に１枚の引戸１０３を配置する操作を行うことにより、平面直角に配置された２つの壁面ＫＡ、ＫＢを有する部屋の隅を、空間ＳＣより小さい図１９の斜線領域にて示す小空間ＳＣａに仕切ることができる。
【００８８】
すなわち、本実施形態の可動間仕切１０１によれば、図１９に示す間仕切状態において、複数のレール体としての３本のレール体である第１レール１１１、第２レール１１２および第３レール１１３のうちの第１レール１１１に１枚の引戸１０３を配置するとともに、第３レール１１３に３枚の引戸１０３を直列配置することにより、小空間ＳＣａによる間仕切りを行うことができる。よって、間仕切状態で複数のレール体のうちの少なくとも１本（第３レール１１３）には、複数の引戸１０３が直列に配置されている構成となる。
【００８９】
また、本実施形態の可動間仕切１０１によれば、第１−第３レール１１１、１１２、１１３のそれぞれに引戸１０３を部分的に配置することにより、部屋を部分的に仕切った（部分的に開放した）部分的間仕切状態（セミクローズ状態）を得ることができる。
【００９０】
なお、本実施形態の可動間仕切１０１における各種の間仕状態は、家族の人数の増減、子供の成長、来客の有無および人数などにより、使用者が選択することができる。
【００９１】
このように、本実施形態の可動間仕切１０１によれば、引戸１０３の配置により、間仕切りに供する部屋の隅を種々に仕切ることができるので、使用者による使い勝手を向上できる。
【００９２】
（第４実施形態）
図２０から図２２は本発明に係る可動間仕切の第４実施形態を示すものである。
【００９３】
本実施形態の可動間仕切１２１は、全体として平面Ｔ字形の一体レールとしたガイドレール１２２を用いたものである。また、本実施形態の可動間仕切１２１は、複数の引戸１２３を戸袋１２４に収納するようにしたものである。さらに、本実施形態の可動間仕切１２１は、間仕切り状態において平面コ字状に配置された３つの壁面ＫＡ、ＫＢ、ＫＣを有する部屋の一辺を全体として平面矩形状に仕切るものである。
【００９４】
すなわち、図２０から図２２に示すように、本実施形態の可動間仕切１２１は、部屋を仕切るために、天井（図４の符号Ｒ参照）に設置されるガイドレール１２２と、このガイドレール１２２に吊車（図２−図４の符号３参照）を介して可動に吊り下げられた開閉操作可能な４枚の引戸１２３と、部屋の仕切を行わない開放状態において４枚の引戸１２３を収納する戸袋１２４と有している。
【００９５】
なお、本実施形態における４枚の引戸１２３は、その幅寸法Ｗ（図１−図３の符号Ｗ参照）が同一に形成されており、後述する分割部１３１ｂ、１３２ｂの長さ寸法は、ガイドレール１２２の自由端側に位置する引戸１２３の幅方向の端面とこの端面に隣位する吊車の中心までの距離（図２の符号ａ参照）より大きく形成されている。
【００９６】
本実施形態のガイドレール１２２は、ステンレスやアルミニウム合金などの金属により形成されており、間仕切りに用いる複数のレール体としての２本のレール体である第１レール１３１および第２レール１３２と、４枚の引戸１２３を戸袋１２４に収納するために用いられる支線レール１３３とを有している。
【００９７】
前記第１レール１３１は直線状に形成されており、図２０の左右方向に配置されている。この第１レール１３１には、吊車が移動可能な移動路としての第１移動路１３１ａが設けられている。また、第２レール１３２は、直線状に形成されており、図２０の上下方向（第１レール１３１に対して平面直交する方向）に配置されている。この第２レール１３２には、第１レール１３１と同様に、吊車が移動可能な移動路としての第２移動路１３２ａが設けられている。
【００９８】
前記第１レール１３１と第２レール１３２とは、天井に設置された状態で第１レール１３１の長さ方向のほぼ中央部分においてＴ字状に交差するように配置されている。そして、第１レール１３１と第２レール１３２とのＴ字形連結部１２２ａでは、第１レール１３１の第１移動路１３１ａと、第２レール１３２の第２移動路１３２ａとがＴ字状に接続されている。なお、Ｔ字形連結部１２２ａとしては、第１レール１３１と第２レール１３２とをＴ字状に直接接続したり、第１レール１３１をその長手方向に沿って２分割して、この分割部分の間に個別に一体形成した平面Ｔ字状のＴ字状レール（Ｔ型継）を配置してＴ字状に間接接続したりすることができる。
【００９９】
前記ガイドレール１２２のうちの戸袋１２４から離れた端部、本実施形態における第１レール１３１および第２レール１３２のそれぞれの自由端部分は、天井に設置された状態で個別に着脱可能に分割（直線継）されており、この分割部１３１ｂ、１３２ｂの少なくとも一方（例えば戸袋１２４に近い分割部１３１ｂ）を天井から取り外すことにより、戸袋１２４に収納されている引戸１２３をガイドレール１２２から取り外すことができるように形成されている。
【０１００】
前記支線レール１３３は、引戸１２３を戸袋１２４に収納するためのものであり、第１レール１３１の図２０の左方に示す端部から直線状に延出するように、戸袋１２４の開口に沿って配置された直線状の引込レール１３３Ａと、この引込レール１３３Ａから戸袋１２４の内部に向かって直角に分岐された直線状の１対の分岐レール１３３Ｂとを有している。そして、支線レール１３３には、引戸１２３を戸袋１２４に収納するための吊車が移動可能な移動路としての支線移動路１３３ａが設けられている。この支線移動路１３３ａは、引込レール１３３Ａに設けられた引込移動路１３３Ａａおよび１対の分岐レール１３３Ｂのそれぞれに設けられた分岐移動路１３３Ｂａを備えている。そして、図２０の右側に示すガイドレール１２２に近い分岐移動路１３３Ｂａは、引込移動路１３３ＡａとＴ字状に接続されており、図２０の左側に示すガイドレール１２２から離れた分岐移動路１３３Ｂａは、引込移動路１３３Ａａと直角に接続されている。また、支線移動路１３３ａ、詳しくは引込移動路１３３Ａａは第１移動路１３１ａと直線状に接続されている。
【０１０１】
前記第１レール１３１、第２レール１３２、支線レール１３３（引込レール１３３Ａおよび１対の分岐レール１３３Ｂ）の断面形状は、すべて同一に形成されている。
【０１０２】
なお、本実施形態の可動間仕切１２１においては、開放状態においてすべての引戸１２３を戸袋１２４に収納する構成としたが、前述した第２実施形態の可動間仕切７１と同様に、すべての引戸１２３を戸袋１２４の代わりに部屋の１箇所の壁面ＫＡに重ねるように集合、すなわち集積させる構成としてもよい。
【０１０３】
また、本実施形態の可動間仕切１２１は、連結部１２２ａおよび第２レール１３２を除く構成とすることにより、３つの壁面ＫＡ、ＫＢ、ＫＣを有する部屋の一辺を全体として平面矩形状に仕切るための全体として平面Ｉ字形の一体レールとしたガイドレールを用いたものとなる。
【０１０４】
その他の構成は、前述した第１実施形態の可動間仕切１と同様されているので、その詳しい説明については省略する。
【０１０５】
このような構成からなる本実施形態の可動間仕切１２１によれば、前述した第１実施形態の可動間仕切１における天井に設置された状態で平面Ｌ字形の一体レールとされたガイドレール２を容易に得ることができるという効果を除いて、同様の効果を奏することができる。
【０１０６】
また、本実施形態の可動間仕切１２１によれば、天井に設置された状態で平面Ｔ字形のガイドレール１２２を容易に得ることができる。
【０１０７】
さらに、本実施形態の可動間仕切１２１によれば、ガイドレール１２２が平面Ｔ字形の一体レールとされているので、４枚の引戸１２３のすべてを戸袋１２４から引き出して、第１レール１３１に４枚の引戸１２３を直列に配置する操作を行うことにより、平面コ字状に配置された３つの壁面ＫＡ、ＫＢ、ＫＣを有する部屋の一辺を、図２１において斜線領域にて示すように、相互に対向する壁面ＫＡ、ＫＣの間において第１レール１３１に配置された４枚の引戸１２３で全体として平面矩形状の１つの空間ＳＤに仕切ることができる。
【０１０８】
すなわち、本実施形態の可動間仕切１２１の間仕切状態においては、複数のレール体としての２本のレール体である第１レール１３１および第２レール１３２のうちの第１レール１３１に４枚の引戸１２３を直列配置することにより、空間ＳＤの間仕切りを行うことができる。よって、間仕切状態で複数のレール体のうちの少なくとも１本（第１レール１３１）には、複数の引戸１２３が直列に配置されている構成となる。
【０１０９】
さらにまた、本実施形態の可動間仕切１２１によれば、ガイドレール１２２が平面Ｔ字形の一体レールとされているので、引戸１２３の配置により、間仕切りに供する部屋の一辺を種々に仕切ることができる。
【０１１０】
例えば、図２２に示すように、４枚の引戸１２３を戸袋１２４から引き出して、第２レール１３２に３枚の引戸１２３を直列に配置するとともに、第１レール１３１の連結部１２２ａに１枚の引戸１２３の幅方向の中央部分を配置する操作を行うことにより、平面コ字状に配置された３つの壁面ＫＡ、ＫＢ、ＫＣを有する部屋の一辺を、空間ＳＤより小さい図２２の斜線領域にて示す第１レール１３１の配置部分において部分的に開放した壁面ＫＣ側に位置する小空間ＳＤａと、空間ＳＤより小さくかつ小空間ＳＤａより大きい図２２の交差斜線領域にて示す第１レール１３１の配置部分において部分的に開放した壁面ＫＡ側に位置する小空間ＳＤｂとの２つに仕切ることができる。これにより、部屋を部分的に仕切った部分的間仕切状態とすることができる。また、第１および第２レール１３１、１３２のそれぞれに引戸１０３を部分的に配置したり、第２レール１３２にのみ３枚の引戸１２３を直列配置したりすることにより、部屋を部分的に仕切った部分的間仕切状態（セミクローズ状態）を得ることができる。
【０１１１】
なお、本実施形態の可動間仕切１２１における各種の間仕状態は、家族の人数の増減、子供の成長、来客の有無および人数などにより、使用者が選択することができる。
【０１１２】
このように、本実施形態の可動間仕切１２１によれば、引戸１２３の配置により、間仕切りに供する部屋の一辺を種々に仕切ることができるので、使用者による使い勝手を向上できる。
【０１１３】
（第５実施形態）
図２３から図２６は本発明に係る可動間仕切の第５実施形態を示すものである。
【０１１４】
本実施形態の可動間仕切１４１は、全体として平面Ｅ字形の一体レールとしたガイドレール１４２を用いたものである。また、本実施形態の可動間仕切１４１は、複数の引戸１４３を戸袋１４４に収納するようにしたものである。さらに、本実施形態の可動間仕切１４１は、間仕切り状態において平面直角に配置された２つの壁面ＫＡ、ＫＢを有する部屋の隅を全体として平面矩形状に仕切るものである。ここでいう平面Ｅ字形とは、１本のレール体に対して３本のレール体が平面直交するように配置されているとともに、平面直交するように配置されている３本のレール体のうちの１本が１本のレール体の一端に接続され、残りの２本が１本のレール体の胴部に接続されている形状をいう。
【０１１５】
すなわち、図２３から図２６に示すように、本実施形態の可動間仕切１４１は、部屋を仕切るために、天井（図４の符号Ｒ参照）に設置されるガイドレール１４２と、このガイドレール１４２に吊車（図２−図４の符号３参照）を介して可動に吊り下げられた開閉操作可能な６枚の引戸１４３と、部屋の仕切を行わない開放状態において６枚の引戸１４３を収納する戸袋１４４と有している。
【０１１６】
なお、本実施形態における６枚の引戸１４３は、その幅寸法Ｗ（図１−図３の符号Ｗ参照）が同一に形成されており、後述する分割部１５２ｂ、１５３ｂ、１５４ｂの長さ寸法は、ガイドレール１４２の自由端側に位置する引戸１４３の幅方向の端面とこの端面に隣位する吊車の中心までの距離（図２の符号ａ参照）より大きく形成されている。
【０１１７】
本実施形態のガイドレール１４２は、ステンレスやアルミニウム合金などの金属により形成されており、間仕切りに用いる複数のレール体としての４本のレール体である第１レール１５１、第２レール１５２、第３レール１５３および第４レール１５４と、６枚の引戸１４３を戸袋１４４に収納するために用いられる支線レール１５５とを有している。
【０１１８】
前記第１レール１５１は直線状に形成されており、図２３の左右方向に配置されている。この第１レール１５１には、吊車が移動可能な移動路としての第１移動路１５１ａが設けられている。また、第２レール１５２は、直線状に形成されており、図２３の右側において上下方向に配置されている。この第２レール１５２には、第１レール１５１と同様に、吊車が移動可能な移動路としての第２移動路１５２ａが設けられている。さらに、第３レール１５３は、直線状に形成されており、図２３の左右方向の中央部より右側において上下方向（第１レール１５１に対して平面直交する方向）に配置されているとともに、第２レール１５２と平行に配置されている。この第３レール１５３には、第１レール１５１および第２レール１５２と同様に、吊車が移動可能な移動路としての第３移動路１５３ａが設けられている。さらにまた、第４レール１５４は、直線状に形成されており、図２３の左右方向のほぼ中央部において上下方向（第１レール１５１に対して平面直交する方向）に配置されているとともに、第２レール１５２および第３レール１５３のそれぞれと平行に配置されている。この第４レール１５４には、第１レール１５１、第２レール１５２および第３レール１５３と同様に、吊車が移動可能な移動路としての第４移動路１５４ａが設けられている。なお、第レール１５２、第３レール１５３および第４レール１５４の長さは同一とされている。
【０１１９】
前記第１レール１５１と第２レール１５２とは、天井に設置された状態で直角に配置されている。そして、第１レール１５１と第２レール１５２との屈曲部であるＬ字形連結部１４２ａでは、第１レール１５１の第１移動路１５１ａと第２レール１５２の第２移動路１５２ａとが直角に接続されている。なお、Ｌ字形連結部１４２ａとしては、第１レール１５１と第２レール１５２とを直角に直接接続したり、個別に一体形成した直角レール（Ｌ型継）を間において間接接続したりすることができる。
【０１２０】
前記第１レール１５１と第３レール１５３とは、天井に設置された状態で第１レール１５１の戸袋１４４側からほぼ２枚の引戸１４３の幅寸法Ｗとほぼ同一長さ位置においてＴ字状に交差するように配置されている。そして、第１レール１５１と第３レール１５３とのＴ字形連結部１４２ｂでは、第１レール１５１の第１移動路１５１ａと、第３レール１５３の第３移動路１５３ａとがＴ字状に接続されている。なお、Ｔ字形連結部１４２ｂとしては、第１レール１５１と第３レール１５３とをＴ字状に直接接続したり、第１レール１５１をその長手方向に沿って２分割して、この分割部分の間に、個別に一体形成した平面Ｔ字状のＴ字状レール（Ｔ型継）を配置してＴ字状に間接接続したりすることができる。
【０１２１】
前記第１レール１５１と第４レール１５４とは、天井に設置された状態で第１レール１５１の戸袋１４４側からほぼ１枚の引戸１４３の幅寸法Ｗとほぼ同一長さ位置においてＴ字状に交差するように配置されている。そして、第１レール１５１と第４レール１５４とのＴ字形連結部１４２ｃでは、第１レール１５１の第１移動路１５１ａと、第４レール１５４の第４移動路１５４ａとがＴ字状に接続されている。なお、Ｔ字形連結部１４２ｃとしては、第１レール１５１と第４レール１５４とをＴ字状に直接接続したり、第１レール１５１をその長手方向に沿って２分割して、この分割部分の間に、個別に一体形成した平面Ｔ字状のＴ字状レール（Ｔ型継）を配置してＴ字状に間接接続したりすることができる。
【０１２２】
前記ガイドレール１４２のうちの戸袋１４４から離れた端部、本実施形態における第２レール１５２、第３レール１５３および第４レール１５４のそれぞれの自由端部分は、天井に設置された状態で個別に着脱可能に分割（直線継）されており、これらの分割部１５２ｂ、１５３ｂ、１５４ｂの少なくとも一つ（例えば戸袋１４４に近い分割部１５４ｂ）を天井から取り外すことにより、戸袋１４４に収納されている引戸１４３をガイドレール１４２から取り外すことができるように形成されている。
【０１２３】
前記支線レール１５５は、引戸１４３を戸袋１４４に収納するためのものであり、第１レール１５１の図２３の左方に示す端部から直線状に延出するように、戸袋１４４の開口に沿って配置された直線状の引込レール１５５Ａと、この引込レール１５５Ａから戸袋１４４の内部に向かって直角に分岐された直線状の１対の分岐レール１５５Ｂとを有している。そして、支線レール１５５には、引戸１４３を戸袋１４４に収納するための吊車が移動可能な移動路としての支線移動路１５５ａが設けられている。この支線移動路１５５ａは、引込レール１５５Ａに設けられた引込移動路１５５Ａａおよび１対の分岐レール１５５Ｂのそれぞれに設けられた分岐移動路１５５Ｂａを備えている。そして、図２３の右側に示すガイドレール１４２に近い分岐移動路１５５Ｂａは、引込移動路１５５ＡａとＴ字状に接続されており、図２３の左側に示すガイドレール１４２から離れた分岐移動路１５５Ｂａは、引込移動路１５５Ａａと直角に接続されている。また、支線移動路１５５ａ、詳しくは引込移動路１５５Ａａは第１移動路１５１ａと直線状に接続されている。
【０１２４】
前記第１レール１５１、第２レール１５２、第３レール１５３、第４レール１５４および支線レール１５５（引込レール１５５Ａおよび１対の分岐レール１５５Ｂ）の断面形状は、すべて同一に形成されている。
【０１２５】
なお、本実施形態の可動間仕切１４１においては、開放状態においてすべての引戸１４３を戸袋１４４に収納する構成としたが、前述した第２実施形態の可動間仕切７１と同様に、すべての引戸１４３を戸袋１４４の代わりに部屋の１箇所の壁面ＫＡに重ねるように集合、すなわち集積させる構成としてもよい。
【０１２６】
その他の構成は、前述した第１実施形態の可動間仕切１と同様されているので、その詳しい説明については省略する。
【０１２７】
このような構成からなる本実施形態の可動間仕切１４１によれば、前述した第１実施形態の可動間仕切１における天井に設置された状態で平面Ｌ字形の一体レールとされたガイドレール２を容易に得ることができるという効果を除いて、同様の効果を奏することができる。
【０１２８】
また、本実施形態の可動間仕切１４１によれば、天井に設置された状態で平面Ｅ字形のガイドレール１４２を容易に得ることができる。
【０１２９】
さらに、本実施形態の可動間仕切１４１によれば、ガイドレール１４２が平面Ｅ字形の一体レールとされているので、６枚の引戸１４３のすべてを戸袋１４４から引き出して、第１レール１５１および第２レール１５２のそれぞれに３枚の引戸１４３を直列に配置する操作を行うことにより、平面直角に配置された２つの壁面ＫＡ、ＫＢを有する部屋の隅を、図２４の斜線領域にて示すように、第１レール１５１および第２レール１５２に配置された総計６枚の引戸１４３で全体として平面矩形状の１つの空間ＳＥに仕切ることができる。
【０１３０】
すなわち、本実施形態の可動間仕切１４１の間仕切状態においては、複数のレール体としての４本のレール体である第１レール１５１、第２レール１５２、第３レール１５３および第４レール１５４のうちの第１レール１１１および第２レール１１２のそれぞれに３枚の引戸１４３を直列配置することにより、空間ＳＥの間仕切りを行うことができる。よって、間仕切状態で複数のレール体のうちの少なくとも１本（第１レール１５１および第２レール１５２）には、複数の引戸１４３が直列に配置されている構成となる。
【０１３１】
また、本実施形態の可動間仕切１４１によれば、ガイドレール１４２が平面Ｅ字形の一体レールとされているので、引戸１４３の配置により、間仕切りに供する部屋の隅を種々に仕切ることができる。
【０１３２】
例えば、図２５に示すように、５枚の引戸１４３を戸袋１４４から引き出して、第３レール１５３に３枚の引戸１４３を直列に配置するとともに、第１レール１５１の戸袋１４４と第３レール１５３との間に位置する部分に２枚の引戸１４３を直列に配置する操作を行うことにより、平面直角に配置された２つの壁面ＫＡ、ＫＢを有する部屋の隅を、空間ＳＥより小さい図２５の斜線領域にて示す小空間ＳＥａに仕切ることができる。この小空間ＳＥａは、第１レール１５１に配置された２枚の引戸１４３と第３レール１５３に配置された３枚の引戸１４３との総計５枚の引戸１４３で仕切られる。すなわち、間仕切状態で複数のレール体のうちの少なくとも１本（第３レール１５３）には、複数の引戸１０３が直列に配置されている構成となる。
【０１３３】
また、図２６に示すように、４枚の引戸１４３を戸袋１４４から引き出して、第４レール１５４に３枚の引戸１４３を直列に配置するとともに、第１レール１５１の戸袋１４４と第４レール１５４との間に位置する部分に１枚の引戸１４３を配置する操作を行うことにより、平面直角に配置された２つの壁面ＫＡ、ＫＢを有する部屋の隅を、小空間ＳＥａより小さい図２６の斜線領域にて示す小空間ＳＥｂに仕切ることができる。この小空間ＳＥｂは、第１レール１５１に配置された１枚の引戸１４３と第４レール１５４に配置された３枚の引戸１４３との総計４枚の引戸１４３で仕切られる。すなわち、間仕切状態で複数のレール体のうちの少なくとも１本（第４レール１５４）には、複数の引戸１０３が直列に配置されている構成となる。
【０１３４】
さらにまた、第１−第４レール１５１、１５２、１５３、１５４のそれぞれに引戸１４３を部分的に配置したり、第２−第４レール１５２、１５３、１５４のうちの２つにそれぞれ３枚の引戸１４３を直列配置したりすることにより、部屋を部分的に仕切った部分的間仕切状態（セミクローズ状態）を得ることができる。
【０１３５】
なお、本実施形態の可動間仕切１４１における各種の間仕状態は、家族の人数の増減、子供の成長、来客の有無および人数などにより、使用者が選択することができる。
【０１３６】
このように、本実施形態の可動間仕切１４１によれば、引戸１４３の配置により、間仕切りに供する部屋の隅を種々に仕切ることができるので、使用者による使い勝手を向上できる。
【０１３７】
なお、本発明は、前述した各実施形態に限定されるものではなく、必要に応じて種々の変更が可能である。
【符号の説明】
【０１３８】
１、７１、１０１、１２１、１４１  可動間仕切
２、７４、１０２、１２２、１４２  ガイドレール
２ａ、７４ａ、１０２ａ、１４２ａ  Ｌ字形連結部
１０２ｂ、１２２ａ、１４２ｂ  Ｔ字形連結部
３  吊車
４、８５、１０３、１２３、１４３  引戸
５、１０４、１２４、１４４  戸袋
１１、７２、１１１、１３１、１５１  第１レール
１１ａ、７２ａ、１１１ａ、１３１ａ、１５１ａ  第１移動路
１２、７３、１１２、１３２、１５２  第２レール
１２ａ、７３ａ、１１２ａ、１３２ａ、１５２ａ  第２移動路
１２ｂ、７３ｂ、１１２ｂ、１１３ｂ、１３１ｂ、１５２ｂ、１５３ｂ、１５４ｂ  分割部
１１３、１５３  第３レール
１１３ａ  １５３ａ  第３移動路
１３、９１、１１４、１３３、１５５  支線レール
１３ａ、９１ａ、１１４ａ、１３３ａ、１５５ａ  支線移動路
２１、８１  第１引戸
２２、８２  第２引戸
２３、８３  第３引戸
２４、８４  第４引戸
２５  第５引戸
３１  天板部
３２  側板部
３３  リブ部
３４  ガイド板部
４１  取付部
７２  支持軸
４３  第１戸車
４４  第２戸車
５１  パネル本体
５２  パネルフレーム
５３  上フレーム
５４  下フレーム
５５  縦フレーム
６２  凹溝
６５  雄部材
６５ａ  凸状先端部
６５ｂ  基端部
６６  雌部材
６６ａ  凹状先端部
６６ｂ  基端部
６７  栓部材
６７ｂ  基端部
Ｒ  天井
ＲＡ  レール溝
ＰＡ、ＫＡ、ＫＢ、ＫＣ  壁面
Ｗ  （引戸の移動方向に沿った）幅寸法
Ｘ  （２つの吊車の）中心間距離
ａ  （引戸４幅方向の端面とこの端面に隣位する吊車の中心までの）距離
ＳＡ、ＳＢ、ＳＣ、ＳＤ、ＳＥ  空間
ＳＣａ、ＳＤａ、ＳＤｂ、ＳＥａ、ＳＥｂ  小空間
【図１】
2012067581.tif 000003
【図２】
2012067581.tif 000004
【図３】
2012067581.tif 000005
【図４】
2012067581.tif 000006
【図５】
2012067581.tif 000007
【図６】
2012067581.tif 000008
【図７】
2012067581.tif 000009
【図８】
2012067581.tif 000010
【図９】
2012067581.tif 000011
【図１０】
2012067581.tif 000012
【図１１】
2012067581.tif 000013
【図１２】
2012067581.tif 000014
【図１３】
2012067581.tif 000015
【図１４】
2012067581.tif 000016
【図１５】
2012067581.tif 000017
【図１６】
2012067581.tif 000018
【図１７】
2012067581.tif 000019
【図１８】
2012067581.tif 000020
【図１９】
2012067581.tif 000021
【図２０】
2012067581.tif 000022
【図２１】
2012067581.tif 000023
【図２２】
2012067581.tif 000024
【図２３】
2012067581.tif 000025
【図２４】
2012067581.tif 000026
【図２５】
2012067581.tif 000027
【図２６】
2012067581.tif 000028
【図２７】
2012067581.tif 000029